(57)【要約】【課題】個人用或いは多人数用透析液配管内の液の性状を明確に判別することのできる透析液配管中の透析液判別方法及び透析液供給システムを提供する。【解決手段】多人数用透析液供給装置２により複数の透析器へと供給する透析液、又は、その他の液体を流動させるために多人数用透析液配管３を備えた透析液供給システム１において、多人数用透析液配管３内を流れる液体の電気伝導率とｐＨ値とを連続的に測定して、多人数用透析液配管３内を流動する液体の種類を判別する。【選択図】図１
2010000207.tif 000002
【特許請求の範囲】
【請求項１】
透析液若しくはその他の液体を透析器へと流動させるか、又は、前記透析器からの前記液体を排出するための個人用の透析液配管を備えた透析液供給システムにおける前記透析液配管中の透析液判別方法であって、
前記透析液配管内を流れる液体の電気伝導率とｐＨ値とを連続的に測定して、前記透析液配管内を流動する液体の種類を判別することを特徴とする透析液配管中の透析液判別方法。
【請求項２】
多人数用透析液供給装置により透析液若しくはその他の液体を流動させるために多人数用の透析液配管を備えた透析液供給システムにおける前記透析液配管中の透析液判別方法であって、
前記多人数用透析液配管内を流れる液体の電気伝導率とｐＨ値とを連続的に測定して、前記多人数用透析液配管内を流動する液体の種類を判別することを特徴とする透析液配管中の透析液判別方法。
【請求項３】
前記その他の液体は、ＲＯ水、次亜塩素酸ナトリウム活性水（低濃度：２〜２０ｐｐｍ）、次亜塩素酸ナトリウム活性水（高濃度：２５〜１００ｐｐｍ）、酢酸、及び、次亜塩素酸ナトリウムであることを特徴とする請求項１又は２に記載の透析液配管中の透析液判別方法。
【請求項４】
前記液体の種類を判別するための判定基準は、
（１）電気伝導率（μＳ／ｃｍ）が５以下、ｐＨ値が５．０〜７．０の場合は、ＲＯ水、
（２）電気伝導率（μＳ／ｃｍ）が８〜６０、ｐＨ値が４．０〜６．０の場合は、低濃度次亜塩素酸ナトリウム活性水、
（３）電気伝導率（μＳ／ｃｍ）が７０〜４００、ｐＨ値が３．５〜５．５の場合は、高濃度次亜塩素酸ナトリウム活性水、
（４）電気伝導率（μＳ／ｃｍ）が３００〜１０００、ｐＨ値が２．０〜３．０の場合は、０．５％〜２％の酢酸、
（５）電気伝導率（μＳ／ｃｍ）が４００〜３０００、ｐＨ値が８．０〜１２．０の場合は、２００〜１２００ｐｐｍの次亜塩素酸ナトリウム、
（６）電気伝導率（μＳ／ｃｍ）が１３７００〜１４３００、ｐＨ値が７．１〜７．５の場合は、透析液、
であることを特徴とする請求項３に記載の透析液配管中の透析液判別方法。
【請求項５】
透析液若しくはその他の液体を透析器へと流動させるか、又は、前記透析器からの前記液体を排出するための個人用の透析液配管を備えた透析液供給システムにおいて、
前記透析液配管に接続された測定管路と、
前記測定管路に接続された電気伝導率計及びｐＨ計と、
前記電気伝導率計及びｐＨ計からの測定値を基に前記透析液配管内を流動する液体の種類を判別する演算処理装置と、
を有することを特徴とする透析液供給システム。
【請求項６】
ＲＯ装置、粉末溶解装置、次亜塩素酸ナトリウム活性化装置、次亜塩素酸ナトリウムタンク装置、及び、酢酸タンク装置を備えており、前記各装置は、前記透析液配管を介して前記透析器に接続されていることを特徴とする請求項５に記載の透析液供給システム。
【請求項７】
前記測定管路には、前記透析液配管に接続された入口部から出口部へと順に、流量調整弁、逆止弁、流量計、前記電気伝導率計及び前記ｐＨ計が設置されていることを特徴とする請求項５又は６に記載の透析液供給システム。
【請求項８】
多人数用透析液供給装置により透析液若しくはその他の液体を流動させるために多人数用の透析液配管を備えた透析液供給システムにおいて、
前記多人数用透析液配管の出口部に接続された測定管路と、
前記測定管路に接続された電気伝導率計及びｐＨ計と、
前記電気伝導率計及びｐＨ計からの測定値を基に前記多人数用透析液配管内を流動する液体の種類を判別する演算処理装置と、
を有することを特徴とする透析液供給システム。
【請求項９】
ＲＯ装置、粉末溶解装置、次亜塩素酸ナトリウム活性化装置、次亜塩素酸ナトリウムタンク装置、及び、酢酸タンク装置を備えており、前記各装置は、前記多人数用透析液供給装置に接続されていることを特徴とする請求項８に記載の透析液供給システム。
【請求項１０】
前記多人数用透析液配管の出口部は、前記多人数用透析液配管の入口部に接続されていることを特徴とする請求項８又は９に記載の透析液供給システム。
【請求項１１】
前記測定管路には、前記多人数用透析液配管に接続された入口部から出口部へと順に、流量調整弁、逆止弁、流量計、前記電気伝導率計及び前記ｐＨ計が設置されていることを特徴とする請求項８〜１０のいずれかの項に記載の透析液供給システム。
【発明の詳細な説明】
【技術分野】
【０００１】
本発明は、透析施設において、多人数の患者へと同時に透析液を送給することのできる透析液配管内の液を常時測定し、透析液配管内の液の種類を判別する透析液配管中の透析液判別方法及び透析液供給システムに関するものである。
【背景技術】
【０００２】
現在、透析施設においては、例えば、図１０に示すような、少なくとも２人以上、通常、２０人から５０人程度の多くの患者に対して同時に透析治療ができるようにした多人数用透析液配管が設置された透析液供給システムが採用されている。
【０００３】
本例における透析液供給システム１について説明すると、多人数用透析液供給装置２は、多人数用透析液配管３により同時に、患者のベッドサイドに患者毎に設置された透析用監視装置４へと透析液を供給する。患者のベッドサイドに配置された透析用監視装置４は、透析器（図示せず）が接続されており、透析器に透析液を供給すると共に、透析器の監視を行っている。
【０００４】
患者毎に配置されている透析用監視装置４は、通常、透析器に供給される透析液の濃度を監視する機能はない。一部オプションにて電気伝導率計を内蔵できるものもあるが、この電気伝導率計は、高ナトリウム透析時のナトリウム注入量を監視するものであり、透析液配管３内の透析液の性状を監視するものではない。
【０００５】
また、透析液供給システム１は、ＲＯ装置（逆浸透法精製水製造装置）６、粉末溶解装置７（例えば、Ａ剤溶解装置７ａ、Ｂ剤溶解装置７ｂ）、次亜塩素酸ナトリウム活性化装置（消毒液作製装置）８、次亜塩素酸ナトリウムタンク装置９、酢酸タンク装置１０等を備えており、各装置が連携して動作している。
【０００６】
つまり、多人数用透析液供給装置２は、ＲＯ装置６と粉末溶解装置７（Ａ剤溶解装置７ａ、Ｂ剤溶解装置７ｂ）を作動させることにより、透析液を多人数用透析液配管３に送給し、また、必要に応じて、ＲＯ装置６と次亜塩素酸ナトリウム活性化装置８を作動して、或いは、次亜塩素酸ナトリウムタンク装置９及び酢酸タンク装置１０からの薬剤を多人数用透析液配管３内へと送給して多人数用透析液配管３内の消毒、洗浄等を行う。
【０００７】
従来、多人数用透析液供給装置２は、電気伝導率計（図示せず）を内蔵しており、多人数用透析液配管３内へと供給される透析液が正しい濃度の透析液であるか否かを監視している。
【０００８】
特許文献１には、粉体状の凝縮物と水から透析液を調整する際に導電率を制御して行う薬剤調整装置を開示している。
【特許文献１】特許第３１９８１７２号公報
【発明の開示】
【発明が解決しようとする課題】
【０００９】
しかしながら、現在の透析施設において、多人数用透析液配管３内の液を常時測定し、液の種類を判定する機器を備えた透析液供給システム１は、本発明者らの知る限りにおいては存在しない。
【００１０】
現状では、透析施設新設時に、透析液配管３内の液の置換時間等を測定して確認することが行われ、この確認事項に基づいて、各装置の動作タイムチャート、洗浄時間等が決められている。
【００１１】
そのため、日常的には、施設の技師などが、残留塩素計などで消毒液が透析液配管３内に残留していないかの確認がなされているに過ぎない。
【００１２】
このような現在の透析液供給システム１では、多人数用透析液配管３内の液が何であるかは、多人数用透析液供給装置２などの動作状態から必要な液が流れているものと判断しているのみで、直接液の状態を監視することはなされていない。
【００１３】
一方、透析液供給システム１における各装置内や各装置間を接続する配管のバルブ等に誤動作やリーク、或いは、故障があれば、意図しない液が流れたり、混入したりする可能性がある。
【００１４】
また、近年、多人数用透析液配管３を夜間、低濃度殺菌水（低濃度の次亜塩素酸ナトリウム活性水：次亜塩素酸ナトリウムと酢酸とＲＯ水の混合溶液）で滞留させる透析施設が増えてきている。しかし、例えば、意図した低濃度殺菌水ではなくＲＯ水を滞留させてしまったとしても気が付かない。
【００１５】
上述のように、従来の多人数用透析液供給装置２に備えられた電気伝導率計は、多人数用透析液配管３内へと供給される透析液の導電率を測定し、正しい濃度の透析液であるか否かを監視しているものであるが、この多人数用透析液供給装置２に内蔵されている電気伝導率計を利用して、多人数用透析液配管３内の液の性状を監視することも考えられる。そのためには、電気伝導率計は、ＲＯ水から透析液まで広い測定範囲が要求される。
【００１６】
しかしながら、多人数用透析液供給装置２に内蔵されている電気伝導率計は、上述のように透析液の電気伝導率（約１４０００μｍＳ／ｃｍ）を測定するもので、ＲＯ水の電気伝導率（数μＳ／ｃｍ以下）を測定できる仕様ではない。
【００１７】
そこで、本発明者らは、多くの研究実験を行った結果、多人数用透析液配管の出口部分に、或いは、環流管路部分に、電気伝導率計及びｐＨ計を備えた透析液配管内液監視装置を設置することにより、多人数用透析液配管内の液の性状を明確に判別することができ、上記諸問題を解決し得ることを見出した。
【００１８】
上述した諸問題は、個人用の透析液供給システムにおける個人用透析液配管おいても同様である。
【００１９】
つまり、本発明の目的は、個人用或いは多人数用透析液配管内の液の性状を明確に判別することのできる透析液配管中の透析液判別方法及び透析液供給システムを提供することである。
【００２０】
本発明の他の目的は、個人用或いは多人数用透析液配管内に流動している液体の種類を把握し、透析器への不所望の液体が混入することを完全に回避することができる透析液供給システムを提供することである。
【課題を解決するための手段】
【００２１】
上記目的は本発明に係る透析液配管中の透析液判別方法及び透析液供給システムにて達成される。要約すれば、第１の本発明によると、透析液若しくはその他の液体を透析器へと流動させるか、又は、前記透析器からの前記液体を排出するための個人用の透析液配管を備えた透析液供給システムにおける前記透析液配管中の透析液判別方法であって、
前記透析液配管内を流れる液体の電気伝導率とｐＨ値とを連続的に測定して、前記透析液配管内を流動する液体の種類を判別することを特徴とする透析液配管中の透析液判別方法が提供される。
【００２２】
第２の本発明によれば、多人数用透析液供給装置により透析液若しくはその他の液体を流動させるために多人数用の透析液配管を備えた透析液供給システムにおける前記透析液配管中の透析液判別方法であって、
前記多人数用透析液配管内を流れる液体の電気伝導率とｐＨ値とを連続的に測定して、前記多人数用透析液配管内を流動する液体の種類を判別することを特徴とする透析液配管中の透析液判別方法が提供される。
【００２３】
本発明の透析液判別方法では、一実施態様によれば、前記その他の液体は、ＲＯ水、次亜塩素酸ナトリウム活性水（低濃度：２〜２０ｐｐｍ）、次亜塩素酸ナトリウム活性水（高濃度：２５〜１００ｐｐｍ）、酢酸、及び、次亜塩素酸ナトリウムである。
【００２４】
本発明の透析液判別方法では、他の実施態様によれば、前記液体の種類を判別するための判定基準は、
（１）電気伝導率（μＳ／ｃｍ）が５以下、ｐＨ値が５．０〜７．０の場合は、ＲＯ水、
（２）電気伝導率（μＳ／ｃｍ）が８〜６０、ｐＨ値が４．０〜６．０の場合は、低濃度次亜塩素酸ナトリウム活性水、
（３）電気伝導率（μＳ／ｃｍ）が７０〜４００、ｐＨ値が３．５〜５．５の場合は、高濃度次亜塩素酸ナトリウム活性水、
（４）電気伝導率（μＳ／ｃｍ）が３００〜１０００、ｐＨ値が２．０〜３．０の場合は、０．５％〜２％の酢酸、
（５）電気伝導率（μＳ／ｃｍ）が４００〜３０００、ｐＨ値が８．０〜１２．０の場合は、２００〜１２００ｐｐｍの次亜塩素酸ナトリウム、
（６）電気伝導率（μＳ／ｃｍ）が１３７００〜１４３００、ｐＨ値が７．１〜７．５の場合は、透析液、
である。
【００２５】
第３の本発明によれば、透析液若しくはその他の液体を透析器へと流動させるか、又は、前記透析器からの前記液体を排出するための個人用の透析液配管を備えた透析液供給システムにおいて、
前記透析液配管に接続された測定管路と、
前記測定管路に接続された電気伝導率計及びｐＨ計と、
前記電気伝導率計及びｐＨ計からの測定値を基に前記透析液配管内を流動する液体の種類を判別する演算処理装置と、
を有することを特徴とする透析液供給システムが提供される。
【００２６】
第３の本発明の透析液供給システムにて、一実施態様によれば、ＲＯ装置、粉末溶解装置、次亜塩素酸ナトリウム活性化装置、次亜塩素酸ナトリウムタンク装置、及び、酢酸タンク装置を備えており、前記各装置は、前記透析液配管を介して前記透析器に接続されている。
【００２７】
第３の本発明の透析液供給システムにて、他の実施態様によれば、前記測定管路には、前記透析液配管に接続された入口部から出口部へと順に、流量調整弁、逆止弁、流量計、前記電気伝導率計及び前記ｐＨ計が設置されている。
【００２８】
第４の本発明によれば、多人数用透析液供給装置により透析液若しくはその他の液体を流動させるために多人数用の透析液配管を備えた透析液供給システムにおいて、
前記多人数用透析液配管の出口部に接続された測定管路と、
前記測定管路に接続された電気伝導率計及びｐＨ計と、
前記電気伝導率計及びｐＨ計からの測定値を基に前記多人数用透析液配管内を流動する液体の種類を判別する演算処理装置と、
を有することを特徴とする透析液供給システムが提供される。
【００２９】
第４の本発明の透析液供給システムにて、一実施態様によれば、ＲＯ装置、粉末溶解装置、次亜塩素酸ナトリウム活性化装置、次亜塩素酸ナトリウムタンク装置、及び、酢酸タンク装置を備えており、前記各装置は、前記多人数用透析液供給装置に接続されている。
【００３０】
第４の本発明の透析液供給システムにて、他の実施態様によれば、前記多人数用透析液配管の出口部は、前記多人数用透析液配管の入口部に接続されている。
【００３１】
第４の本発明の透析液供給システムにて、他の実施態様によれば、前記測定管路には、前記多人数用透析液配管に接続された入口部から出口部へと順に、流量調整弁、逆止弁、流量計、前記電気伝導率計及び前記ｐＨ計が設置されている。
【発明の効果】
【００３２】
本発明によれば、透析液配管内の液の性状を明確に判別することができる。これにより、透析液配管内に流動している液体の種類を把握し、透析器への不所望の液体が混入することを完全に回避することができる。
【発明を実施するための最良の形態】
【００３３】
以下、本発明に係る透析液配管中の透析液判別方法及び透析液供給システムを図面に則して更に詳しく説明する。
【００３４】
実施例１
図１に、本発明に係る透析液配管中の透析液判別方法を実施する透析液供給システムの一実施例を示す。
【００３５】
本実施例の透析液供給システム１は、多人数用透析液供給システムとされ、先の図１０を参照して説明した従来の透析液供給システムと同様の構成とされる。
【００３６】
つまり、本実施例にて、透析液供給システム１は、多人数用透析液供給装置２を備えており、多人数用透析液供給装置２は、多人数用透析液配管３により同時に、患者のベッドサイドに患者毎に設置された透析用監視装置４へと透析液を供給する。通常、多人数用の透析液供給システム１においては、患者のベッド数は、２以上、例えば、２０から５０程度とされる。それ以上も可能である。
【００３７】
患者のベッドサイドに配置された透析用監視装置４は、透析器（図示せず）が接続されており、透析器に透析液を供給すると共に、透析器の監視を行っている。
【００３８】
多人数用透析液配管３の入口には、エンドトキシンカットフィルタ５が配置されている。また、多人数用透析液供給装置２は、電気伝導率計（図示せず）を内蔵しており、多人数用透析液配管３内へと供給される透析液が正しい濃度の透析液であるか否かを監視している。
【００３９】
また、透析液供給システム１は、本実施例では、ＲＯ装置（逆浸透法精製水製造装置）６、粉末溶解装置７、次亜塩素酸ナトリウム活性化装置（消毒液作製装置）８、次亜塩素酸ナトリウムタンク装置９、酢酸タンク装置１０等を備えており、各装置が連携して動作している。なお、酢酸及び次亜塩素酸ナトリウムの代わりに、過酢酸を使用することもある。
【００４０】
ＲＯ装置６は、切替バルブ１１を備えた配管１２にて多人数用透析液供給装置２に接続されている。本実施例では、粉末溶解装置７は、Ａ剤溶解装置７ａ及びＢ剤溶解装置７ｂから成り、各装置７ａ、７ｂとも、入口配管１３（１３ａ、１３ｂ）がＲＯ装置６に接続され、出口配管１４（１４ａ、１４ｂ）が多人数用透析液供給装置２に接続されている。Ａ剤は、透析液を調製するための乾燥薬剤であるグルコース（ブドウ糖）などを含む粉末状薬剤であり、Ｂ剤は、重曹等を含む粉末状薬剤である。粉末溶解装置７は、Ａ剤溶解装置７ａ及びＢ剤溶解装置７ｂから成る構成に限定されるものではない。また、粉末状薬剤ではなく、液剤であるＡ液、Ｂ液を使用することもできる。
【００４１】
次亜塩素酸ナトリウム活性化装置８は、入口管路１５がＲＯ装置６に接続され、出口管路１６は、切替バルブ１７を介して多人数用透析液供給装置２に接続されている。
【００４２】
また、本実施例では、次亜塩素酸ナトリウム（消毒薬剤）タンク装置９及び酢酸（炭酸カルシウム除去用薬剤）タンク装置１０が多人数用透析液供給装置２に接続されている。
【００４３】
つまり、多人数用透析液供給装置２は、ＲＯ装置６と粉末溶解装置７（即ち、Ａ剤溶解装置７ａ、Ｂ剤溶解装置７ｂ）を作動させることにより、透析液を多人数用透析液配管３に送給する。また、必要に応じて、ＲＯ装置６と次亜塩素酸ナトリウム活性化装置８を作動して、或いは、次亜塩素酸ナトリウム（例えば、２００〜１２００ｐｐｍの次亜塩素酸ナトリウム）タンク装置９及び酢酸（例えば、０．５〜２％の酢酸）タンク装置１０からの薬剤を多人数用透析液配管３内へと供給して、或いは、ＲＯ装置６のみを作動して多人数用透析液配管３内の消毒、洗浄等を行うことができる。
【００４４】
次に、本発明の特徴部分を構成する多人数用透析液供給装置２からの透析液を患者のベッド毎に設置された透析用監視装置４へと供給する多人数用透析液配管３の構成について説明する。
【００４５】
本発明によれば、多人数用透析液配管３には、透析液配管内液監視装置２０が設置される。
【００４６】
本実施例にて、多人数用透析液配管３は、図１に示すように、多人数用透析液供給装置２に接続された配管入口部３１と、各透析用監視装置４が設置された患者のベッドサイドに接続された配管本体部３２と、配管本体部３２の配管出口部３３を前記配管入口部３１へと接続する環流管路部３４と、を備えている。
【００４７】
透析液配管内液監視装置２０は、環流管路部３４の任意の位置に配置することができる。本実施例では、環流管路部３４の出口部３５、即ち、環流管路部３４と配管出口部３１の接続部に近接した環流管路部３４に配置される。
【００４８】
図２を参照すると、本実施例にて、透析液配管内液監視装置２０は、環流管路部３４に接続された測定管路２１を備えている。測定管路２１は、一端が環流管路部３４に接続された入口端部２２とされ、他端が廃液出口端部２３とされる。測定管路２１の入口端部２２に近接して手動式の流量調整弁４１が設置され、測定管路２１内へと流入する液流量を調整する。通常、測定管路２１内の流量は、１００ｍＬ／ｍｉｎ〜３００ｍＬ／ｍｉｎの間で調整される。
【００４９】
流量調整弁４１から、更に測定管路２１の下流側へと、順に、逆止弁４２、流量計４３が設置される。流量計４３の更に下流側に、電気伝導率計５１が配置される。また、本実施例によれば、電気伝導率計５１の下流側にフローセル４４を設け、ｐＨ計（ｐＨ電極）５２が配置される。ｐＨ電極５２にはＫＣｌリザーブタンク５３が併設されている。電気伝導率計５１及びｐＨ電極５２は、増幅器、Ａ／Ｄ変換器、ＣＰＵ、メモリ等を備えた演算処理装置１００に接続されており、測定した電気伝導率及びｐＨ値が演算される。測定結果は、演算処理装置１００に接続されたディスプレー１０１に表示される。また、必要に応じてプリンター１０２にてプリントされる。
【００５０】
なお、演算処理装置１００内のメモリに測定時間と共に測定値を記憶することにより、システムの作動状況を後から確認することもできる。
【００５１】
多人数用透析液配管３内に液が流れる時は、配管３内の液は陽圧（プラス）とされている。従って、上記構成により、透析液配管３内に液が流れている時は、測定管路２１内には、環流管路部３４から液が分岐されて自然に流れ込む。特別な吸入ポンプ手段等は必要としない。
【００５２】
測定管路２１内へと導入された液は、測定管路２１内を流動し、廃液出口端部２３から排出される過程において、測定管路２１内の、即ち、多人数用透析液配管路３内を流動する液の性状、本実施例では、液の電気伝導率及びｐＨ値が連続的に測定される。測定後の液は、ｐＨ電極５２からＫＣｌ液が混入することにより出口端部２３から排出される。
【００５３】
次に、本実施例の上記構成とされる透析液配管内液監視装置２０を使用した液判別方法について説明する。
【００５４】
図３に、本実施例の透析液供給システム１にて使用される液体、即ち、透析液、ＲＯ水、次亜塩素酸ナトリウム活性水（低濃度：２〜２０ｐｐｍ）、次亜塩素酸ナトリウム活性水（高濃度：２５〜１００ｐｐｍ）、酢酸（０．５〜２．０％）、次亜塩素酸ナトリウム（２００〜１２００ｐｐｍ）の電気伝導度とｐＨ値とを示す。
【００５５】
尚、本願明細書等にて、「次亜塩素酸ナトリウム活性水」とは、次亜塩素酸ナトリウムと酢酸とＲＯ水の混合溶液であり、所定の濃度に調製される。「次亜塩素酸ナトリウム活性水」は、単に「活性水」と呼ぶこともある。
【００５６】
図３から分かるように、本実施例にて使用する液体、即ち、透析液、ＲＯ水、活性水（低濃度：２〜２０ｐｐｍ）、活性水（高濃度：２５〜１００ｐｐｍ）、酢酸（０．５〜２．０％）、次亜塩素酸ナトリウム（２００〜１２００ｐｐｍ）は、それぞれ互いに異なる電気伝導度とｐＨ値とを示すものであって、多人数用透析液配管路内を流動する液の電気伝導率とｐＨ値を測定すれば、液の種類を判定することができる。下記表１に、本実施例にて採用した液判別の判定基準を示す。
【００５７】
なお、活性水は、濃度とｐＨを自由に設定し得るので、透析施設毎に判定基準を変える必要がある。
【００５８】
【表１】
2010000207.tif 000003
【００５９】
測定例
図４に、病院Ａにおける透析液供給システム１の１日（２４時間）における作動状況を監視した際の時間系列のモニターデータの一例を示す。
【００６０】
（１）午前６時半から７時半
ＲＯ水を使用し、透析液供給システム１の使用前の洗浄（水洗）を行う。
【００６１】
図１にて、ＲＯ装置６の管路１２の切替バルブ１１を開とし、次亜塩素酸ナトリウム活性装置８の切替バルブ１７を閉として、多人数用透析液供給装置２にＲＯ水を供給する。
【００６２】
このとき、図４にて、透析液配管内液監視装置２０は、電気伝導率が約０．００４ｍＳ／ｃｍ、ｐＨ値が約５．８であることを示している。即ち、表１から、透析液配管内液監視装置２０の測定管路２１内、即ち、多人数用透析液配管３内にはＲＯ水が流れていることが確認される。
【００６３】
（２）午前７時半から午後２時１５分
透析液供給システム１に透析液を供給し、多人数用透析液配管路３に透析液を供給する。
【００６４】
図１にて、ＲＯ装置６の管路１２の切替バルブ１１を開とし、次亜塩素酸ナトリウム活性装置８の切替バルブ１７を閉とする。多人数用透析液供給装置２は、ＲＯ装置６及び粉末溶解装置７（Ａ剤溶解装置７ａ、Ｂ剤溶解装置７ｂ）を作動させて所望の透析液を調製し、多人数用透析液配管路３に透析液を供給する。
【００６５】
このとき、図４にて、透析液配管内液監視装置２０は、電気伝導率が約１４．２ｍＳ／ｃｍ、ｐＨ値が約７．３であることを示している。即ち、表１から、透析液配管内液監視装置２０の測定管路２１内、即ち、多人数用透析液配管３内には透析液が流れていることが確認される。
【００６６】
（３）午後２時１５分から午後２時４５分
ＲＯ水を使用し、透析液供給システム１の使用後の洗浄（水洗）を行う。
【００６７】
図１にて、ＲＯ装置６の管路１２の切替バルブ１１を開とし、次亜塩素酸ナトリウム活性装置８の切替バルブ１７を閉として、多人数用透析液供給装置２にＲＯ水を供給する。
【００６８】
このとき、図４にて、透析液配管内液監視装置２０は、電気伝導率が約１４．２ｍＳ／ｃｍから約０．０１ｍＳ／ｃｍへと変動途中であり、また、ｐＨ値は、約７．３から約４．２へと変動中である。即ち、表１から、透析液配管内液監視装置２０の測定管路２１内、即ち、多人数用透析液配管３内の液が、透析液からＲＯ水に交換中であることが確認される。
【００６９】
（４）午後２時４５分から午後３時１０分
次亜塩素酸ナトリウム活性水を使用し、透析液供給システム１の使用後の洗浄（薬洗）を行う。
【００７０】
図１にて、ＲＯ装置６の管路１２の切替バルブ１１を閉とし、次亜塩素酸ナトリウム活性装置８の切替バルブ１７を開として、多人数用透析液供給装置２に活性水（高濃度：５５ｐｐｍ）を供給する。
【００７１】
このとき、図４にて、透析液配管内液監視装置２０は、電気伝導率が約０．２ｍＳ／ｃｍであり、ｐＨ値は、約４．１である。即ち、表１から、透析液配管内液監視装置２０の測定管路２１内、即ち、多人数用透析液配管３内の液が、ＲＯ水から高濃度の活性水に交換されたことが確認される。
【００７２】
（５）午後３時１０分から３時４５分
ＲＯ水を使用し、透析液供給システム１の使用前の洗浄（水洗）を行う。
【００７３】
図１にて、ＲＯ装置６の管路１２の切替バルブ１１を開とし、次亜塩素酸ナトリウム活性装置８の切替バルブ１７を閉として、多人数用透析液供給装置２にＲＯ水を供給する。
【００７４】
このとき、図４にて、透析液配管内液監視装置２０は、電気伝導率が約０．００７ｍＳ／ｃｍ、ｐＨ値が約５．８であることを示している。即ち、表１から、透析液配管内液監視装置２０の測定管路２１内、即ち、多人数用透析液配管３内にはＲＯ水が流れていることが確認される。
【００７５】
（６）午後３時４５分から午後１１時１０分
透析液供給システム１に透析液を供給し、多人数用透析液配管路３に透析液を供給する。
【００７６】
図１にて、ＲＯ装置６の管路１２の切替バルブ１１を開とし、次亜塩素酸ナトリウム活性装置８の切替バルブ１７を閉とする。多人数用透析液供給装置２は、ＲＯ装置６及び粉末溶解装置７（Ａ剤溶解装置７ａ、Ｂ剤溶解装置７ｂ）を作動させて所望の透析液を調製し、多人数用透析液配管路３に透析液を供給する。
【００７７】
このとき、図４にて、透析液配管内液監視装置２０は、電気伝導率が約１４．２ｍＳ／ｃｍ、ｐＨ値が約７．３であることを示している。即ち、表１から、透析液配管内液監視装置２０の測定管路２１内、即ち、多人数用透析液配管３内には透析液が流れていることが確認される。
【００７８】
（７）午後１１時１０分から午後１１時４５分
ＲＯ水を使用し、透析液供給システム１の使用後の洗浄（水洗）を行う。
【００７９】
図１にて、ＲＯ装置６の管路１２の切替バルブ１１を開とし、次亜塩素酸ナトリウム活性装置８の切替バルブ１７を閉として、多人数用透析液供給装置２にＲＯ水を供給する。
【００８０】
このとき、図４にて、透析液配管内液監視装置２０は、電気伝導率が約１４．２ｍＳ／ｃｍから約０．００４ｍＳ／ｃｍへと変動し、また、ｐＨ値は、約７．３から約５．７へと変動した。即ち、表１から、透析液配管内液監視装置２０の測定管路２１内、即ち、多人数用透析液配管３内の液が、透析液からＲＯ水に交換されたことが確認される。
【００８１】
（８）午後１１時４５分から午前１時
活性水を使用し、透析液供給システム１の使用後の洗浄（薬洗）を行う。
【００８２】
図１にて、ＲＯ装置６の管路１２の切替バルブ１１を閉とし、次亜塩素酸ナトリウム活性装置８の切替バルブ１７を開として、多人数用透析液供給装置２に活性水（高濃度：５５ｐｐｍ）を供給する。
【００８３】
このとき、図４にて、透析液配管内液監視装置２０は、電気伝導率が約０．０８ｍＳ／ｃｍであり、ｐＨ値は、約４．１である。即ち、表１から、透析液配管内液監視装置２０の測定管路２１内、即ち、多人数用透析液配管３内の液が、ＲＯ水から高濃度の活性水に交換されたことが確認される。
【００８４】
（９）午前１時から午前６時半
次の使用開始までの間、透析液供給システム１に低濃度の活性水を滞留させる。
【００８５】
図１にて、ＲＯ装置６の管路１２の切替バルブ１１を閉とし、次亜塩素酸ナトリウム活性装置８の切替バルブ１７を開として、多人数用透析液供給装置２に活性水（低濃度：２ｐｐｍ）を供給する。
【００８６】
このとき、図４にて、透析液配管内液監視装置２０は、電気伝導率が約０．００７ｍＳ／ｃｍであり、ｐＨ値は、約５．２である。即ち、表１から、透析液配管内液監視装置２０の測定管路２１内、即ち、多人数用透析液配管３内の液が、高濃度の活性水から低濃度の活性水に交換されたことが確認される。
【００８７】
上述の測定例にて理解されるように、本実施例にて使用する液体、即ち、透析液、ＲＯ水、次亜塩素酸ナトリウム活性水（低濃度：２ｐｐｍ）、次亜塩素酸ナトリウム活性水（高濃度：５５ｐｐｍ）は、それぞれ互いに異なる電気伝導度とｐＨ値とを示すものであって、多人数用透析液配管路内を流動する液の電気伝導率とｐＨ値を測定すれば、表１に示すような判断基準により、液の種類を判定することができる。
【００８８】
上記測定例では、酢酸及び次亜塩素酸ナトリウムは使用されてはいないが、図３、表１にて分かるように、これらの液も他の液とは異なる電気伝導度とｐＨ値とを示すものであって、多人数用透析液配管路内を流動する液の電気伝導率とｐＨ値を測定すれば、液の種類を判定することができる。
【００８９】
なお、上述したように、酢酸及び次亜塩素酸ナトリウムの代わりに、過酢酸を使用することもあるが、この液も他の液とは異なる電気伝導度とｐＨ値とを示すものであって、多人数用透析液配管路内を流動する液の電気伝導率とｐＨ値を測定すれば、液の種類を判定することができる。
【００９０】
次に、本実施例の液の種類の判別を自動化する場合の手順を、図５及び図６に示すフロー図を参照して説明する。
【００９１】
（１）図５にて、液の種類判別モードが開始される（Ｓ１）。
【００９２】
（２）先ず、流量計にて４３にて測定管路２１内に所定量の液が供給されているか否かを判定する（Ｓ２）。流量が所定流量、本実施例では、１００ｍＬ／ｍｉｎ未満の場合には、即ち、Ｓ２でＹｅｓの場合、測定不能とする。
【００９３】
（３）流量が所定流量、即ち、１００ｍＬ／ｍｉｎ以上の場合には、即ち、Ｓ２でＮｏの場合、次のステップ（Ｓ３）に進み、電気伝導率計５１の測定結果を見る。電気伝導率が所定値、本実施例では、５μＳ／ｃｍ以下であるか否かを判断する。５μＳ／ｃｍ以下（即ち、０〜５μＳ／ｃｍの範囲）である場合、即ち、Ｓ３でＹｅｓの場合、次のステップ（Ｓ４）に進み、ｐＨ電極５２の測定結果を見る。ｐＨ値が所定値、本実施例では、５．０〜７．０の範囲であるか否かを判断する（Ｓ４）。５．０〜７．０の範囲にある場合、即ち、Ｓ４でＹｅｓの場合、ＲＯ水であると判定する。Ｓ４でＮｏの場合、判定無しとする。
【００９４】
（４）Ｓ３で、電気伝導率が５μＳ／ｃｍを超える場合、即ち、Ｓ３でＮｏの場合、次のステップ（Ｓ５）に進み、電気伝導率が所定値、本実施例では、８μＳ／ｃｍ未満であるか否かを判断する。８μＳ／ｃｍ未満（即ち、５〜８μＳ／ｃｍの範囲）である場合、即ち、Ｓ５でＹｅｓの場合、判定無しとする。
【００９５】
（５）Ｓ５で、電気伝導率が８μＳ／ｃｍ以上である場合、即ち、Ｓ５でＮｏの場合、次のステップ（Ｓ６）に進み、電気伝導率が所定値、本実施例では、６０μＳ／ｃｍ以下であるか否かを判断する。６０μＳ／ｃｍ以下（即ち、８〜６０μＳ／ｃｍの範囲）である場合、即ち、Ｓ６でＹｅｓの場合、次のステップ（Ｓ７）に進み、ｐＨ電極５２の測定結果を見る。ｐＨ値が所定値、本実施例では、４．０〜６．０の範囲であるか否かを判断する（Ｓ７）。４．０〜６．０の範囲にある場合、即ち、Ｓ７でＹｅｓの場合、活性水（低濃度）であると判定する。Ｓ７でＮｏの場合、判定無しとする。
【００９６】
（６）Ｓ６で、電気伝導率が６０μＳ／ｃｍを超える場合、即ち、Ｓ６でＮｏの場合、次のステップ（Ｓ８）に進み、電気伝導率が所定値、本実施例では、８０μＳ／ｃｍ未満であるか否かを判断する。８０μＳ／ｃｍ未満（即ち、６０〜８０μＳ／ｃｍの範囲）である場合、即ち、Ｓ８でＹｅｓの場合、判定無しとする。
【００９７】
（７）Ｓ８で、電気伝導率が８０μＳ／ｃｍ以上である場合、即ち、Ｓ８でＮｏの場合、次のステップ（Ｓ９）に進み、電気伝導率が所定値、本実施例では、４００μＳ／ｃｍ以下であるか否かを判断する。４００μＳ／ｃｍ以下（即ち、８０〜４００μＳ／ｃｍの範囲）である場合、即ち、Ｓ９でＹｅｓの場合、次のステップ（Ｓ１０）に進み、ｐＨ電極５２の測定結果を見る。ｐＨ値が所定値、本実施例では、３．５〜５．５の範囲であるか否かを判断する（Ｓ１０）。３．５〜５．５の範囲にある場合、即ち、Ｓ１０でＹｅｓの場合、活性水（高濃度）であると判定する。Ｓ１０でＮｏの場合、次のステップ１１に進む。
【００９８】
以降、図６を参照して説明する。
【００９９】
（８）図６を参照すると、Ｓ９で、電気伝導率が４００μＳ／ｃｍを超える場合、即ち、Ｓ９でＮｏの場合、及び、ステップ１０でＮｏの場合、次のステップ１１（Ｓ１１）に進み、電気伝導率が所定値、本実施例では、３００μＳ／ｃｍ未満であるか否かを判断する。３００μＳ／ｃｍ未満（即ち、３００〜１００μＳ／ｃｍの範囲）である場合、即ち、Ｓ１１でＹｅｓの場合、判定無しとする。
【０１００】
（９）Ｓ１１で、電気伝導率が３００μＳ／ｃｍ以上である場合、即ち、Ｓ１１でＮｏの場合、次のステップ（Ｓ１２）に進み、電気伝導率が所定値、本実施例では、１０００μＳ／ｃｍ以下であるか否かを判断する。１０００μＳ／ｃｍ以下（即ち、１０００〜３００μＳ／ｃｍの範囲）である場合、即ち、Ｓ１２でＹｅｓの場合、次のステップ（Ｓ１３）に進み、ｐＨ電極５２の測定結果を見る。ｐＨ値が所定値、本実施例では、２．０〜３．０の範囲であるか否かを判断する（Ｓ１３）。２．０〜３．０の範囲にある場合、即ち、Ｓ１３でＹｅｓの場合、酢酸であると判定する。Ｓ１３でＮｏの場合、次のステップ１４に進む。
【０１０１】
（１０）Ｓ１２で、電気伝導率が１０００μＳ／ｃｍを超える場合、即ち、Ｓ１２でＮｏの場合、及び、ステップ１３でＮｏの場合、次のステップ（Ｓ１４）に進み、電気伝導率が所定値、本実施例では、４００μＳ／ｃｍ未満であるか否かを判断する。４００μＳ／ｃｍ未満（即ち、４００〜３００μＳ／ｃｍの範囲）である場合、即ち、Ｓ１４でＹｅｓの場合、判定無しとする。
【０１０２】
（１１）Ｓ１４で、電気伝導率が４００μＳ／ｃｍ以上である場合、即ち、Ｓ１４でＮｏの場合、次のステップ（Ｓ１５）に進み、電気伝導率が所定値、本実施例では、３０００μＳ／ｃｍ以下であるか否かを判断する。３０００μＳ／ｃｍ以下（即ち、３０００〜４００μＳ／ｃｍの範囲）である場合、即ち、Ｓ１５でＹｅｓの場合、次のステップ（Ｓ１６）に進み、ｐＨ電極５２の測定結果を見る。ｐＨ値が所定値、本実施例では、８．０〜１２．０の範囲であるか否かを判断する（Ｓ１６）。８．０〜１２．０の範囲にある場合、即ち、Ｓ１６でＹｅｓの場合、次亜塩素酸ナトリウムであると判定する。Ｓ１６でＮｏの場合、判定無しとする。
【０１０３】
（１２）Ｓ１５で、電気伝導率が３０００μＳ／ｃｍを超える場合、即ち、Ｓ１５でＮｏの場合、次のステップ１７（Ｓ１７）に進み、電気伝導率が所定値、本実施例では、１３７００μＳ／ｃｍ未満であるか否かを判断する。１３７００μＳ／ｃｍ未満（即ち、１３７００〜３０００μＳ／ｃｍの範囲）である場合、即ち、Ｓ１７でＹｅｓの場合、判定無しとする。
【０１０４】
（１３）Ｓ１７で、電気伝導率が１３７００μＳ／ｃｍ以上である場合、即ち、Ｓ１７でＮｏの場合、次のステップ（Ｓ１８）に進み、電気伝導率が所定値、本実施例では、１４３００μＳ／ｃｍ以下であるか否かを判断する１４３００μＳ／ｃｍ以下（即ち、１４３００〜１３７００μＳ／ｃｍの範囲）である場合、即ち、Ｓ１８でＹｅｓの場合、次のステップ（Ｓ１９）に進み、ｐＨ電極５２の測定結果を見る。ｐＨ値が所定値、本実施例では、７．１〜７．５の範囲であるか否かを判断する（Ｓ１９）。７．１〜７．５の範囲にある場合、即ち、Ｓ１９でＹｅｓの場合、透析液であると判定する。Ｓ１９でＮｏの場合、次のステップ（Ｓ２０）にて判定無しとする。
【０１０５】
（１４）Ｓ１８で、電気伝導率が１４３００μＳ／ｃｍを超える場合、即ち、Ｓ１８でＮｏの場合、次のステップ２０（Ｓ２０）に進み、同じく判定無しとする。
【０１０６】
本実施例によれば、透析液配管内監視装置２０にて、演算処理装置１００により上記諸ステップ（工程）を実施することにより、自動的に、多人数用透析液配管３内を流動する液の種類を判別することができる。
【０１０７】
上述したように、本発明によれば、多人数用透析液配管内の液の性状を明確に判別することができる。これにより、多人数透析液供給装置により多人数透析液配管内に流動している液体の種類を把握し、透析器への不所望の液体が混入することを完全に回避することができる。
【０１０８】
上記実施例においては、多人数用透析液配管３に環流管路部３４を付設し、この環流管路部３４に透析液配管内監視装置２０を設置する構成としたが、本発明はこの構成に限定されるものではなく、図７に示すように、多人数用透析液配管３に環流管路部３４を付設することなく、多人数用透析液配管３に配管出口部３３に透析液配管内監視装置２０を設置する構成であっても良い。この変更実施例においても、上記実施例と同様の作用効果を達成し得る。
【０１０９】
実施例２
次に、図８を参照して、本発明の透析液供給システムの他の実施例について説明する。本実施例では、透析液供給システムは、個人用の透析液供給システムとされる。
【０１１０】
実施例１においては、多人数用透析液配管３中の透析液判別方法を実施する透析液供給システム１について説明したが、本発明の原理は、個人用の透析液供給システムにおいても同様に適用し、同様の作用効果を達成し得る。
【０１１１】
図８を参照すると、個人用透析液供給システム１Ａは、患者のベッドサイドに患者毎に設置された透析用監視装置４へと透析液を供給する。
【０１１２】
患者のベッドサイドに配置された透析用監視装置４は、透析器４０が接続されており、透析器４０に透析液を供給すると共に、透析器４０の監視を行っている。
【０１１３】
個人用透析液供給システム１Ａは、透析用監視装置４毎に、即ち、透析器４０毎に、原液装置７（Ａ液装置７ａ、Ｂ液装置７ｂ）、次亜塩素酸ナトリウムタンク装置９、酢酸タンク装置１０等を備えており、各装置が透析器４０に接続され、連携して動作している。
【０１１４】
ＲＯ装置６は、切替バルブ１１を備えた配管１２、及び、分岐配管１９にて透析用監視装置４に接続されている。
【０１１５】
本実施例では、透析液調製用の原液装置７は、Ａ液装置７ａ及びＢ液装置７ｂから成り、各装置７ａ、７ｂとも、出口配管１４（１４ａ、１４ｂ）がＲＯ装置６の分岐配管１９に接続され、透析液監視装置４に接続されている。
【０１１６】
また、本実施例では、次亜塩素酸ナトリウム（消毒薬剤）タンク装置９及び酢酸（炭酸カルシウム除去用薬剤）タンク装置１０が配管９ａ、１０ａにてＲＯ装置６の分岐配管１９に接続され、個人用透析液監視装置４に接続されている。
【０１１７】
透析液監視装置４内には透析液配管３Ａが配置されており、透析液配管３Ａは、透析器４０の入口部の配管（内部透析液配管）３Ａａと、透析器４０の出口部の配管（排液配管）３Ａｂとを備えている。
【０１１８】
従って、個人用透析液監視装置４は、ＲＯ装置６と原液装置７（即ち、Ａ液装置７ａ、Ｂ液装置７ｂ）を作動させることにより、透析液を内部透析液配管３Ａａを介して透析器４０に送給する。
【０１１９】
また、必要に応じて、ＲＯ装置６、次亜塩素酸ナトリウム（例えば、２００〜１２００ｐｐｍの次亜塩素酸ナトリウム）タンク装置９及び酢酸（例えば、０．５〜２％の酢酸）タンク装置１０を作動させ、或いは、ＲＯ装置６のみを作動させて、内部透析液配管３Ａａを介して透析器４０内へと供給し、透析器４０等の消毒、洗浄等を行うことができる。
【０１２０】
透析器４０からの使用済み透析液等の液体は、透析液配管３Ａの出口部（即ち、排液配管）３Ａｂを介して排出される。
【０１２１】
本実施例によれば、透析液配管３Ａの入口部、即ち、内部透析液配管３Ａａに、実施例１で説明したと同様の構成及び機能をなす透析液配管内液監視装置２０が設置される。
【０１２２】
つまり、透析液配管内液監視装置２０は、図２に示すように、内部透析液配管３Ａａに接続された測定管路２１を備えている。本実施例では、測定管路２１は、その入口端部２２が内部透析液配管３Ａａに接続され、他端の廃液出口端部２３から排液される。
【０１２３】
測定管路２１の入口端部２２に近接して手動式の流量調整弁４１が設置され、測定管路２１内へと流入する液流量を調整する。通常、測定管路２１内の流量は、１００ｍＬ／ｍｉｎ〜３００ｍＬ／ｍｉｎの間で調整される。
【０１２４】
本実施例においても、測定管路２１内へと導入された液は、測定管路２１内を流動し、廃液出口端部２３から排出される過程において、測定管路２１内の、即ち、透析液配管路３Ａの入口部の内部透析液配管３Ａａ内を流動する液の性状、本実施例では、液の電気伝導率及びｐＨ値が連続的に測定される。測定後の液は、排出される。
【０１２５】
実施例１と同様にして、透析液配管内液監視装置２０により液判別が行われる。
【０１２６】
つまり、図３から分かるように、本実施例にて使用する液体、即ち、透析液、ＲＯ水、次亜塩素酸ナトリウム活性水（低濃度：２〜２０ｐｐｍ）、次亜塩素酸ナトリウム活性水（高濃度：２５〜１００ｐｐｍ）、酢酸（０．５〜２．０％）、次亜塩素酸ナトリウム（２００〜１２００ｐｐｍ）は、それぞれ互いに異なる電気伝導度とｐＨ値とを示すものであって、透析液配管路３Ａ内を流動する液の電気伝導率とｐＨ値を測定すれば、例えば、上記表１に示す判定基準に従って、液の種類を判定することができる。
【０１２７】
また、透析液配管内監視装置２０にて、演算処理装置１００により、図５及び図６に示した上記諸ステップ（工程）を実施することにより、自動的に、個人用透析液配管３Ａ内を流動する液の種類を判別することができる。
【０１２８】
上述したように、本実施例においても、個人用透析液配管３Ａ内の液の性状を明確に判別することができる。これにより、個人用透析液供給システム内を流動する液体の種類を把握し、透析器への不所望の液体が混入することを完全に回避することができる。
【０１２９】
上記実施例においては、透析液配管３Ａの入口部（即ち、内部透析液配管）３Ａａに透析液配管内監視装置２０を設置する構成としたが、本発明はこの構成に限定されるものではなく、図９に示すように、透析器４０からの使用済み透析液等の液体を排出するための透析液配管３Ａの出口部（即ち、排液配管）３Ａｂに透析液配管内監視装置２０を設置する構成であっても良い。この変更実施例においても、上記実施例と同様の作用効果を達成し得る。
【図面の簡単な説明】
【０１３０】
【図１】本発明に係る透析液供給システムの一実施例を説明する概略構成図である。
【図２】本発明に従って構成される透析液配管内液監視装置の一実施例を説明する概略構成図である。
【図３】透析液供給システムにて使用される透析液、ＲＯ水、活性水（低濃度：２ｐｐｍ）、活性水（高濃度：５５ｐｐｍ）、酢酸、次亜塩素酸ナトリウムの電気伝導度とｐＨ値とを説明する図である。
【図４】透析液供給システムの作動状況を監視した際のモニターデータの一例を示す図である。
【図５】本発明に係る透析液供給システムにて実施される液の種類判別方法を説明するフロー図である。
【図６】本発明に係る透析液供給システムにて実施される液の種類判別方法を説明するフロー図である。
【図７】本発明に係る透析液供給システムの他の実施例を説明する概略構成図である。
【図８】本発明に係る透析液供給システムの他の実施例を説明する概略構成図である。
【図９】本発明に係る透析液供給システムの他の実施例を説明する概略構成図である。
【図１０】従来の透析液供給システムを説明する概略構成図である。
【符号の説明】
【０１３１】
１、１Ａ    透析液供給システム
２          多人数用透析液供給装置
３          多人数用透析液配管
３Ａ        個人用透析液配管
４          透析用監視装置
５          エンドトキシンカットフィルタ
６          ＲＯ装置
７          粉末溶解装置
８          次亜塩素酸ナトリウム活性化装置
９          次亜塩素酸ナトリウムタンク
１０        酢酸タンク
２０        透析液配管内液監視装置
２１        測定管路
４０        透析器
５１        電気伝導率計
５２        ｐＨ電極（ｐＨ計）
【図１】
2010000207.tif 000004
【図２】
2010000207.tif 000005
【図３】
2010000207.tif 000006
【図４】
2010000207.tif 000007
【図５】
2010000207.tif 000008
【図６】
2010000207.tif 000009
【図７】
2010000207.tif 000010
【図８】
2010000207.tif 000011
【図９】
2010000207.tif 000012
【図１０】
2010000207.tif 000013